(57)【要約】【課題】映像配信局側から映像受信局側に、映像を切り替えながら送信する遠隔教育システムにおいて、映像配信局側で、各映像受信局に映像が正常に送信されているか確認する。【解決手段】映像切替スイッチャー15と、IP化NTSC映像信号とIP化XGA映像信号を同時に通信網3を介して映像受信局2に配信するレイヤ2スイッチ4aと、スイッチャー15の選択動作を制御する制御端末10と、IP化映像マルチ表示装置18とを備えた映像配信局1および受信したIP化映像信号を分配するレイヤ2スイッチ4bと、復号化された映像信号を選択する映像切替スイッチャー22と、選択された映像信号をIP化する映像IP化送信装置25とを備えた複数の映像受信局2からなる遠隔教育システムであって、映像IP化送信装置25が、スイッチャー22における選択された映像信号をIP化し、受信したIP化映像信号を映像配信局1のIP化映像マルチ表示装置18が表示する。【選択図】図１
2007158572.tif 000002
【特許請求の範囲】
【請求項１】
映像配信局から複数の映像を切替えて複数の映像受信局に送信するネットワークを介した遠隔教育システムであって、
映像配信局に、前記複数の映像受信局の受信映像を表示させることを特徴とした遠隔教育システム。
【請求項２】
講師教室に設けた映像配信局と、１もしくは複数の遠隔教室にそれぞれ配置した映像受信局とを通信網を介して接続した遠隔教育システムにおいて、
前記映像配信局が、ＮＴＳＣ映像信号を出力する複数の映像入力装置と、ＸＧＡ映像を出力するＰＣと、前記ＮＴＳＣ映像信号をＩＰ化して送信するＮＴＳＣ映像ＩＰ化送信装置と、前記ＸＧＡ映像をＩＰ化して送信するＸＧＡ映像ＩＰ化送信装置と、前記複数の映像入力装置からのＮＴＳＣ映像信号を切替え選択する映像切替スイッチャーと、前記映像切替えスイッチャーからのＩＰ化ＮＴＳＣ映像信号および前記ＸＧＡ映像ＩＰ化送信装置からのＩＰ化ＸＧＡ映像信号を同時に通信網を介して映像受信局に配信するレイヤ２スイッチと、前記映像切替スイッチャーの選択動作を制御する制御端末と、映像受信局から受信したＩＰ化映像信号をマルチ表示するＩＰ化映像マルチ表示装置と、を備え、
前記映像受信局が、前記通信網から同時に受信したＩＰ化ＮＴＳＣ映像信号およびＩＰ化ＸＧＡ映像信号を分配するレイヤ２スイッチと、前記ＩＰ化ＮＴＳＣ映像信号をＮＴＳＣ映像信号に復号化するＩＰ化ＮＴＳＣ映像受信装置と、前記ＩＰ化ＸＧＡ映像信号をＸＧＡ映像信号に復号化するＩＰ化ＸＧＡ映像受信装置と、前記復号化ＮＴＳＣ映像信号および前記復号化ＸＧＡ映像信号を選択するとともに、選択された前記復号化ＮＴＳＣ映像信号をＲＧＢ信号に変換する映像切替スイッチャーと、選択された映像信号をＩＰ化してＩＰ化映像信号を前記通信網へ送信する映像ＩＰ化送信装置と、を備え、
前記映像配信局の制御端末が、前記映像配信局の前記映像切替スイッチャーにおける映像選択を制御するとともに、前記映像受信局の前記映像切替スイッチャーにおける映像選択を制御し、
前記映像受信局が、前記映像受信局の映像切替スイッチャーで選択された映像信号を圧縮・ＩＰ化したＩＰ化映像信号を前記映像配信局にユニキャスト送信し、
前記映像配信局が、前記映像受信局から受信した前記ＩＰ化映像信号を前記ＩＰ化映像マルチ表示装置に表示するようにした
遠隔教育システム。
【請求項３】
請求項２記載の遠隔教育システムにおいて、
前記映像配信局から前記映像受信局へ前記通信網を介して送信される、前記ＩＰ化ＮＴＳＣ映像信号および前記ＩＰ化ＸＧＡ映像信号は、マルチキャスト配信され、前記映像受信局から前記映像配信局へ送信される前記ＩＰ化映像信号は、ユニキャスト送信されることを特徴とする遠隔教育システム。
【請求項４】
講師教室に設けた映像配信局と、１もしくは複数の遠隔教室にそれぞれ配置した映像受信局とを通信網を介して接続した遠隔教育システムを構成する映像配信局において、
ＮＴＳＣ映像信号を出力する複数の映像入力装置と、ＸＧＡ映像を出力するＰＣと、前記ＮＴＳＣ映像信号をＩＰ化して送信するＮＴＳＣ映像ＩＰ化送信装置と、前記ＸＧＡ映像をＩＰ化して送信するＸＧＡ映像ＩＰ化送信装置と、前記複数の映像入力装置からのＮＴＳＣ映像信号を切替え選択する映像切替スイッチャーと、前記映像切替えスイッチャーからのＩＰ化ＮＴＳＣ映像信号および前記ＸＧＡ映像ＩＰ化送信装置からのＩＰ化ＸＧＡ映像信号を同時に通信網を介して遠隔教室側に配信するレイヤ２スイッチと、前記映像切替スイッチャーの選択動作を制御する制御端末と、映像受信局から受信した映像信号をマルチ表示するＩＰ化映像マルチ表示装置と、を備えた
ことを特徴とする映像配信局。
【請求項５】
講師教室に設けた映像配信局と、１もしくは複数の遠隔教室にそれぞれ配置した映像受信局とを通信網を介して接続した遠隔教育システムを構成する映像受信局において、
前記映像受信局が、前記通信網から同時に受信したＩＰ化ＮＴＳＣ映像信号およびＩＰ化ＸＧＡ映像信号を分配するレイヤ２スイッチと、前記ＩＰ化ＮＴＳＣ映像信号をＮＴＳＣ映像信号に復号化するＩＰ化ＮＴＳＣ映像受信装置と、前記ＩＰ化ＸＧＡ映像信号をＸＧＡ映像信号に復号化するＩＰ化ＸＧＡ映像受信装置と、前記復号化ＮＴＳＣ映像信号および前記復号化ＸＧＡ映像信号を選択するとともに、選択された前記復号化ＮＴＳＣ映像信号をＲＧＢ信号に変換する映像切替スイッチャーと、選択された映像信号をＩＰ化してＩＰ化映像信号を前記通信網へ送信する映像ＩＰ化送信装置と、を備えた
ことを特徴とする映像受信局。
【発明の詳細な説明】
【技術分野】
【０００１】
本発明は、ＩＰ網を利用した遠隔教育システムに関する。
【背景技術】
【０００２】
講師と、遠隔地に離れている複数の生徒との複数の教室での授業が、リアルタイムに応対できる遠隔教育システムにおいては、生徒に送信映像が正常に送信されているか、講師側で確認できることが望ましい。確認ができない場合、ネットワーク障害や映像機器・ケーブル等の障害発生で、遠隔教室への映像送信が中断した場合、講師側で気付かずに授業を進めてしまう可能性があり、障害察知から復旧までに多大の時間をかけてしまう為である。遠隔教室に管理者等が居れば、障害発生を講師側に連絡して対応することができる場合があるが、遠隔教室には生徒のみで、管理者を置かない場合もある。また、生徒側に何も表示しなくなってしまったような場合は、障害発生に早く察知できるが、講師側で送信しているはずの映像とは異なる映像を遠隔教室側で表示しているような場合には、障害発生をすぐには察知できず、やはり復旧に時間を要してしまう。
【０００３】
また、ある遠隔教室で映像障害が発生した時、講師側教室か遠隔教室か、どちらの装置やネットワーク等による障害なのか判らない。この場合、別の遠隔教室で映像障害が発生しているかを、電話等で連絡・確認しなければならず、どちらの障害か切り分けるのが困難である。つまり、１つの遠隔教室でのみの映像障害であれば、その遠隔教室側の装置・ネットワーク等の異常と推定されるし、全遠隔教室での映像障害であれば、講師側教室の装置やネットワーク等の異常、という障害箇所の推定が行えるが、全ての遠隔教室の映像状態を把握するには、全ての遠隔教室に電話等で確認しなければならない。
【０００４】
遠隔教育の映像配信方法により、講師側で生徒側の送信映像を確認する方法は様々である。講師用端末機に複数の受講生用端末機がインターネットを介して同時にマルチ接続され、講師用端末機と受講生用端末機との間で、テキスト、画像からなる授業データ、もしくはさらにこれに音声を加えた授業データを相互に交換して、講師用端末機から、接続されている全受講生に対して一斉に授業データを配信し、またマルチモニタ画面で全受講生端末機を観察すると同時に、講義用モニタ画面と特定受講生用端末機との間を１対１に接続して、当該受講生との質疑応答および個別指導をリアルタイムに行うようにする方法（例えば、特許文献１参照）や、講師用と生徒用とのコンピュータをインターネット網で接続し、講師側のカメラからの講師の顔の映像や、講師が手書き入力した板書情報を生徒側のディスプレイに表示させ、生徒側のカメラからの各生徒の顔の映像を転送し講師側ディスプレイに表示させる方法（例えば、特許文献２参照）がある。
【特許文献１】特開２００１−３３７５８９号公報
【特許文献２】特開２００２−１５６８９４号公報
【発明の開示】
【発明が解決しようとする課題】
【０００５】
従来の技術による遠隔教育では、講師側が、遠隔教室の生徒側から送信される映像としては、生徒側の端末機に表示されている映像のみ、または、生徒側のカメラからの各生徒の顔の映像のみであった。
【０００６】
本発明は、講師側が、ＰＣ映像、黒板映像、講師映像等を切り替えながら、遠隔教室側に送信する遠隔教育システムにおいて、講師側で、各遠隔教室に映像が正常に送信されているか確認できることにより、障害発生の迅速な察知・障害箇所切り分けを行える事を目的とする。
【課題を解決するための手段】
【０００７】
本発明は、映像配信局から複数の映像を切替えて複数の映像受信局に送信するネットワークを介した遠隔教育システムであって、映像配信局に、全映像受信局の受信映像を表示させるようにした。
【０００８】
そのために、本発明は、講師教室に設けた映像配信局と、１もしくは複数の遠隔教室にそれぞれ配置した映像受信局とを通信網を介して接続した遠隔教育システムにおいて、前記映像配信局が、ＮＴＳＣ映像信号を出力する複数の映像入力装置と、ＸＧＡ映像を出力するＰＣと、前記ＮＴＳＣ映像信号をＩＰ化して送信するＮＴＳＣ映像ＩＰ化送信装置と、前記ＸＧＡ映像をＩＰ化して送信するＸＧＡ映像ＩＰ化送信装置と、前記複数の映像入力装置からのＮＴＳＣ映像信号を切替え選択する映像切替スイッチャーと、前記映像切替えスイッチャーからのＩＰ化ＮＴＳＣ映像信号および前記ＸＧＡ映像ＩＰ化送信装置からのＩＰ化ＸＧＡ映像信号を同時に通信網を介して映像受信局に配信するレイヤ２スイッチと、前記映像切替スイッチャーの選択動作を制御する制御端末と、映像受信局から受信したＩＰ化映像信号をマルチ表示するＩＰ化映像マルチ表示装置と、を備え、前記映像受信局が、前記通信網から同時に受信したＩＰ化ＮＴＳＣ映像信号およびＩＰ化ＸＧＡ映像信号を分配するレイヤ２スイッチと、前記ＩＰ化ＮＴＳＣ映像信号をＮＴＳＣ映像信号に復号化するＩＰ化ＮＴＳＣ映像受信装置と、前記ＩＰ化ＸＧＡ映像信号をＸＧＡ映像信号に復号化するＩＰ化ＸＧＡ映像受信装置と、前記復号化ＮＴＳＣ映像信号および前記復号化ＸＧＡ映像信号を選択するとともに、選択された前記復号化ＮＴＳＣ映像信号をＲＧＢ信号に変換する映像切替スイッチャーと、選択された映像信号をＩＰ化してＩＰ化映像信号を前記通信網へ送信する映像ＩＰ化送信装置と、を備え、前記映像配信局の制御端末が、前記映像配信局の前記映像切替スイッチャーにおける映像選択を制御するとともに、前記映像受信局の前記映像切替スイッチャーにおける映像選択を制御し、前記映像受信局が、前記映像受信局の映像切替スイッチャーで選択された映像信号を圧縮・ＩＰ化したＩＰ化映像信号を前記映像配信局にユニキャスト送信し、前記映像配信局が、前記映像受信局から受信した前記ＩＰ化映像信号を前記ＩＰ化映像マルチ表示装置に表示するようにした。
【０００９】
さらに上記遠隔教育システムにおいて、前記映像配信局から前記映像受信局へ前記通信網を介して送信される、前記ＩＰ化ＮＴＳＣ映像信号および前記ＩＰ化ＸＧＡ映像信号は、マルチキャスト配信され、前記映像受信局から前記映像配信局へ送信される前記ＩＰ化映像信号は、ユニキャスト送信されるようにした。
【００１０】
また、本発明は、講師教室に設けた映像配信局と、１もしくは複数の遠隔教室にそれぞれ配置した映像受信局とを通信網を介して接続した遠隔教育システムを構成する映像配信局において、ＮＴＳＣ映像信号を出力する複数の映像入力装置と、ＸＧＡ映像を出力するＰＣと、前記ＮＴＳＣ映像信号をＩＰ化して送信するＮＴＳＣ映像ＩＰ化送信装置と、前記ＸＧＡ映像をＩＰ化して送信するＸＧＡ映像ＩＰ化送信装置と、前記複数の映像入力装置からのＮＴＳＣ映像信号を切替え選択する映像切替スイッチャーと、前記映像切替えスイッチャーからのＩＰ化ＮＴＳＣ映像信号および前記ＸＧＡ映像ＩＰ化送信装置からのＩＰ化ＸＧＡ映像信号を同時に通信網を介して遠隔教室側に配信するレイヤ２スイッチと、前記映像切替スイッチャーの選択動作を制御する制御端末と、映像受信局から受信した映像信号をマルチ表示するＩＰ化映像マルチ表示装置と、を備えた。
【００１１】
さらに、本発明は、講師教室に設けた映像配信局と、１もしくは複数の遠隔教室にそれぞれ配置した映像受信局とを通信網を介して接続した遠隔教育システムを構成する映像受信局において、前記映像受信局が、前記通信網から同時に受信したＩＰ化ＮＴＳＣ映像信号およびＩＰ化ＸＧＡ映像信号を分配するレイヤ２スイッチと、前記ＩＰ化ＮＴＳＣ映像信号をＮＴＳＣ映像信号に復号化するＩＰ化ＮＴＳＣ映像受信装置と、前記ＩＰ化ＸＧＡ映像信号をＸＧＡ映像信号に復号化するＩＰ化ＸＧＡ映像受信装置と、前記復号化ＮＴＳＣ映像信号および前記復号化ＸＧＡ映像信号を選択するとともに、選択された前記復号化ＮＴＳＣ映像信号をＲＧＢ信号に変換する映像切替スイッチャーと、選択された映像信号をＩＰ化してＩＰ化映像信号を前記通信網へ送信する映像ＩＰ化送信装置と、を備えた。
【発明の効果】
【００１２】
本発明によれば、講師側で、各種映像入力を切り替えて、遠隔教室側で切り替わった映像を表示する遠隔教育システムにおいて、講師側で、各遠隔教室に切り替わった映像が正常に送信されているか確認する事を可能とする。
【００１３】
本発明は、講師側が、ＰＣ映像、黒板映像、講師映像等を切り替えながら、遠隔教室側に送信する遠隔教育システムにおいて、講師側で、各遠隔教室に映像が正常に送信されているか確認できることにより、障害発生の迅速な察知・障害箇所切り分けを行うことが可能となる。
【発明を実施するための最良の形態】
【００１４】
以下、本発明の実施例について図面を参照して詳細に説明する。図１を用いて、本発明にかかる遠隔教育システムの一例の構成を説明する。以下、遠隔教育システムの全体構成、映像配信局（講師教室）、映像受信局（遠隔教室）に分けて順に説明する。
【００１５】
遠隔教育システムは、講師教室に設けた映像配信局１と、１もしくは複数の遠隔教室に設けた映像受信局２ａ〜２ｎと、ＩＰ網のような広域イーサネット（登録商標）３で接続して構成される。映像配信局１と１もしくは複数の遠隔教室における映像受信局２との間では、映像配信局１からはマルチキャストによって映像信号が各遠隔教室における映像受信装置２ａ〜２ｎあてに配信され、各映像受信局２ａ〜２ｎからは挟帯域映像がユニキャストによって映像配信局１へ送信される。
【００１６】
映像配信局１は、制御端末１０と、少なくとも１以上の音声入力装置１１と、少なくとも１以上の映像入力装置１２と、ＰＣ１３と、ＲＧＢ分配器１４と、映像切替スイッチャー１５と、ＮＴＳＣ映像ＩＰ化送信装置１６と、ＸＧＡ映像ＩＰ化送信装置１７と、ＩＰ化映像マルチ表示装置１８と、レイヤ２スイッチ４ａとを有して構成される。
【００１７】
制御端末１０は、ＬＡＮケーブル５ａを介してレイヤ２スイッチ４ａに接続され、シリアルケーブル８ａを介し映像切替スイッチャー１５に接続されている。制御端末１０は、講義開始時に、映像配信局１と遠隔教室の映像受信局２内の装置の接続制御を行う。また、講義中に映像の切り替えを行う場合に、講師が直接操作する端末である。
【００１８】
音声入力装置１１は、講師マイクやビデオ音声等、講義の音声源となる装置であり、ＮＴＳＣケーブル６ａ、６ｂを介して映像切替スイッチャー１５に接続されている。
【００１９】
映像入力装置１２は、書画カメラ、講師カメラ、ビデオ映像等、講義の映像源となる装置であり、ＮＴＳＣケーブル６ｃ、６ｄを介して映像切替スイッチャー１５に接続されている。
【００２０】
各音声入力装置１１ａ、１１ｂは、映像入力装置１２ａ、１２ｂが映像再生手段であるときには、その音声出力であってよく、映像入力装置１２ａ、１２ｂがカメラ等の撮像装置であるときには、マイクロホンであってよい。
【００２１】
ＰＣ１３は、講師が講義に使用する教育教材や資料を表示させるＰＣであり、遠隔教育の映像源となるものである。ＰＣ１３は、ＲＧＢケーブル７ａを介し、ＲＧＢ分配器１４に接続されている。
【００２２】
ＲＧＢ分配器１４は、ＲＧＢケーブル７ａを介してＰＣ１３から入力された映像を、ＲＧＢケーブル７ｂを介して映像切替スイッチャー１５へ、ＲＧＢケーブル７ｃを介してＸＧＡ映像ＩＰ化送信装置１７へ、分配する。
【００２３】
映像切替スイッチャー１５は、ＮＴＳＣケーブル６ａ、６ｂを介した音声入力装置１１ａ、１１ｂからの音声のうち、シリアルケーブル８ａを介した制御端末１０からの指示に従い選択された音声を、ＮＴＳＣケーブル６ｅを介してＮＴＳＣ映像音声ＩＰ化送信装置へ出力し、同様に、ＮＴＳＣケーブル６ｃ、６ｄを介した映像入力装置１２ａ、１２ｂからの映像や、ＲＧＢケーブル７ｂを介したＲＧＢ分配器１４からのＰＣ１３の映像のうち、シリアルケーブル８ａを介した制御端末１０からの指示に従い選択された映像を、ＮＴＳＣケーブル６ｆを介してＮＴＳＣ映像ＩＰ化送信装置１６へ出力する。
【００２４】
音声映像切替えスイッチャー１５に入力されるＲＧＢ分配器１４からのＲＧＢ信号（高精密画像／動画像）は、図示を省略したコンバータによってＮＴＳＣ映像信号に変換される。図示を省略した前記コンバータは、ＲＧＢケーブル７ｂの出力側に設けても、音声映像切替えスイッチャー１５のＲＧＢ映像信号入力インタフェース部に設けてもよい。ＲＧＢ分配器からのＲＧＢ信号をＮＴＳＣ信号に変換して出力可能とすることによって、ＸＧＡ映像ＩＰ化送信装置１７を含む経路に障害が発生した場合に、ＰＣ１３の映像信号をＮＴＳＣ映像信号として映像受信局２へ配信することができる。
【００２５】
ＮＴＳＣ映像ＩＰ化送信装置１６は、ＮＴＳＣケーブル６ｅを介した映像切替スイッチャー１５からの音声、および、ＮＴＳＣケーブル６ｆを介した映像切替スイッチャー１５からの映像を、圧縮・符号化・ＩＰ化を行い、生成された符号化ＩＰパケットを、ＬＡＮケーブル５ｂ、レイヤ２スイッチ４ａ、広域イーサネット３を介し、遠隔教室における映像受信局２のＩＰ化ＮＴＳＣ映像受信装置２０へ、マルチキャストパケットにて送信する。
【００２６】
ＸＧＡ映像ＩＰ化送信装置１７は、ＲＧＢケーブル７ｃを介したＲＧＢ分配器１４からのＰＣ１３の映像を、高精細圧縮・符号化・ＩＰ化を行い、生成された符号化ＩＰパケットを、ＬＡＮケーブル５ｃ、レイヤ２スイッチ４ａ、広域イーサネット３を介し、遠隔教室における映像受信局２のＩＰ化ＸＧＡ映像受信装置２１へ、マルチキャストパケットにて送信する。ここでＮＴＳＣ映像ＩＰ化送信装置１６、ＩＰ化ＮＴＳＣ映像受信装置２０とは別に、ＸＧＡ映像ＩＰ化送信装置１７、ＩＰ化ＸＧＡ映像受信装置２１があるのは、ＰＣの映像をダウンコンバートによる画質劣化をさせずに高品質な映像の送受信を可能とするために用意されている。また、本例では、ＸＧＡ映像ＩＰ化送信装置１７、ＩＰ化ＸＧＡ映像受信装置２１と記載しているが、ＰＣの画面サイズは、ＸＧＡにはこだわらずＳＶＧＡやＳＸＧＡ等の他の画面サイズであってもよく、ＸＧＡ映像ＩＰ化送信装置１７、ＩＰ化ＸＧＡ映像受信装置２１はこれらの画面サイズに対応可能な装置で良い。
【００２７】
ＩＰ化映像マルチ表示装置１８は、広域イーサネット３、レイヤ２スイッチ４ａ、ＬＡＮケーブル５ｄを介し、各遠隔教室における映像受信局２内の狭帯域映像ＩＰ化送信装置２５から送信された映像符号化ＩＰパケットを復号化し、画面上にマルチ表示を行う。
【００２８】
遠隔教室における映像受信局２は、ＩＰ化ＮＴＳＣ映像受信装置２０と、ＩＰ化ＸＧＡ映像受信装置２１と、映像切替スイッチャー２２と、音声出力装置２３と、映像出力装置２４と、挟帯域映像ＩＰ化送信装置２５と、映像入力装置２６と、レイヤ２スイッチ４ｂとを有して構成される。
【００２９】
ＩＰ化ＮＴＳＣ映像受信装置２０は、広域イーサネット３、レイヤ２スイッチ４ｂ、ＬＡＮケーブル５ｅを介し、映像配信局１内のＮＴＳＣ映像ＩＰ化送信装置１６から送信されたマルチキャストパケットの映像音声符号化ＩＰパケットを復号化し、音声信号をＮＴＳＣケーブル６ｇを介して音声出力装置２３へ、ＮＴＳＣ映像信号をＮＴＳＣケーブル６ｈを介して映像切替スイッチャー２２へ出力する。また、ＩＰ化ＮＴＳＣ映像受信装置２０は、広域イーサネット３、レイヤ２スイッチ４ｂ、ＬＡＮケーブル５ｅを介した、映像配信局１内の制御端末１０からのユニキャストパケットの映像切替制御指示を、シリアルケーブル８ｂを介し映像切替スイッチャー２２に伝送する。また、ＩＰ化ＮＴＳＣ映像受信装置２０は、映像切替スイッチャー２２から、映像切替制御指示の応答等を、シリアルケーブル８ｂを介し受信した場合に、ＬＡＮケーブル５ｅ、レイヤ２スイッチ４ｂ、広域イーサネット３、レイヤ２スイッチ４ａを介して、映像配信局１内の制御端末１０にユニキャスト送信する。
【００３０】
ＩＰ化ＸＧＡ映像受信装置２１は、広域イーサネット３、レイヤ２スイッチ４ｂ、ＬＡＮケーブル５ｆを介し、映像配信局１内のＸＧＡ映像ＩＰ化送信装置１７から送信されたマルチキャストの高精細映像符号化ＩＰパケットを復号化し、ＸＧＡ映像信号をＲＧＢケーブル７ｄを介して映像切替スイッチャー２２へ出力する。
【００３１】
映像切替スイッチャー２２は、ＮＴＳＣケーブル６ｈを介したＩＰ化ＮＴＳＣ映像受信装置２０からの映像と、ＲＧＢケーブル７ｄを介したＩＰ化ＸＧＡ映像受信装置２１からの映像のうち、ＩＰ化ＮＴＳＣ映像受信装置２０、シリアルケーブル８ｂを介した映像配信局１内の制御端末１０からの制御指示に従い選択された映像を、ＲＧＢケーブル７ｅを介した映像出力装置２４と、ＮＴＳＣケーブル６ｉを介した狭帯域映像ＩＰ化送信装置２５へ出力する。映像切替スイッチャー２２は、ＮＴＳＣケーブル６ｈから受信し選択されたＮＴＳＣ映像信号をＲＧＢ映像信号に変換する機能を有することができる。
【００３２】
音声出力装置２３は、ＮＴＳＣケーブル６ｇを介してＩＰ化ＮＴＳＣ映像受信装置２０から受信した音声信号を、音声として出力するスピーカ等である。遠隔教室にいる受講者は、音声出力装置２３が出力する音声を聴きながら講義を受ける。
【００３３】
映像出力装置２４は、ＲＧＢケーブル７ｅを介して映像切替スイッチャー２２から受信した映像を出力するプロジェクタ等の映像モニタ装置である。映像出力装置２４は、ＲＧＢ方式またはＮＴＳＣ方式の双方入力に対応して映像を出力する装置であってもよく、この場合は映像出力装置２４の入力はＮＴＳＣケーブル経由またはＲＧＢケーブル経由の映像信号のいずれかであってよい。遠隔教室にいる受講者は、映像出力装置２４が出力する映像を見ながら講義を受ける。
【００３４】
狭帯域映像ＩＰ化送信装置２５は、映像切替スイッチャー２２が選択したＮＴＳＣケーブル６ｉを介した映像を、狭帯域にて圧縮・符号化・ＩＰ化を行い、生成された映像符号化ＩＰパケットを、例えば１２８Ｋｂｐｓの挟帯域によってＬＡＮケーブル５ｇ、レイヤ２スイッチ４ｂ、広域イーサネット３を介し、映像配信局１のＩＰ化映像マルチ表示装置１８へ送信する。ここで、狭帯域としているのは、講義中の音声映像データが、映像配信局１からは遠隔教室における映像受信局２にマルチキャストで送られるため遠隔教室における映像受信局２ａ〜２ｎを多数接続していても問題ないが、遠隔教室における映像受信局２ａ〜２ｎから映像配信局１にはユニキャストで送信するため、映像受信局２が増えるほどに映像配信局１側のネットワーク帯域が圧迫されてしまことから、これを回避するためである。ここでは、狭帯域としているが、ネットワーク帯域に問題がなければ、狭帯域である必要はない。
【００３５】
映像入力装置２６は、映像出力装置２４が表示している映像を撮影し、ＮＴＳＣケーブル６ｊを介した挟帯域映像ＩＰ化送信装置２５へ送信する。狭帯域映像ＩＰ化送信装置２５は、映像切替スイッチャー２２または映像入力装置２６からの映像、つまり、遠隔教室における映像受信局２の映像出力装置２４に出力された受講者が見ている映像を、映像配信局１のＩＰ化映像マルチ表示装置１８へ送信する。
【００３６】
図２を用いて、図１に示した本発明にかかる遠隔教育システムにおける、映像データの経路について説明する。なお、ここでは、映像データに関する説明にとどめ、音声データの経路については説明を省略する。
【００３７】
映像配信局１内の制御端末１０の操作による遠隔教室との講義開始時に、映像データがどのような配信状態となるかを説明する。映像データには、映像配信局１から遠隔教室における映像受信局２へのＮＴＳＣ映像送信経路、映像配信局１から遠隔教室における映像受信局２へのＲＧＢ映像送信経路、遠隔教室における映像受信局２から映像配信局１への遠隔教室確認映像送信経路の、３種類が接続される。
【００３８】
映像配信局１から遠隔教室における映像受信局２へのＮＴＳＣ映像送信経路は、映像切替スイッチャー１５の映像が、ＮＴＳＣケーブル６ｆを介し、ＮＴＳＣ映像ＩＰ化送信装置１６に送信され、レイヤ２スイッチ４ａ、広域イーサネット３、レイヤ２スイッチ４ｂを介し、ＩＰ化ＮＴＳＣ映像受信装置２０で受信した映像が、ＮＴＳＣケーブル６ｈを介し、映像切替スイッチャー２２に送信される。
【００３９】
映像配信局１から遠隔教室における映像受信局２へのＲＧＢ映像送信経路は、ＰＣ１３からの映像が、ＲＧＢケーブル７ａ、ＲＧＢ分配器１４、ＲＧＢケーブル７ｃを介し、ＸＧＡ映像ＩＰ化送信装置１７に送信され、レイヤ２スイッチ４ａ、広域イーサネット３、レイヤ２スイッチ４ｂを介し、ＩＰ化ＸＧＡ映像受信装置２１で受信した映像が、ＲＧＢケーブル７ｄを介し、映像切替スイッチャー２２に送信される。
【００４０】
遠隔教室における映像受信局２から映像配信局１への遠隔教室確認映像送信経路は、映像切替スイッチャー２２からの映像がＮＴＳＣケーブル６ｉを介し、または映像入力装置２６からの映像がＮＴＳＣケーブル６ｊを介して狭帯域映像ＩＰ化送信装置２５に送信されて映像符号化ＩＰパケットに変換されレイヤ２スイッチ４ｂ、広域イーサネット３、レイヤ２スイッチ４ａを介し、ＩＰ化映像マルチ表示装置１８で受信した映像を表示する。
【００４１】
上記接続は、講義開始から講義終了まで継続される。
【００４２】
次に、図２と表１を用いて、映像受信局２の映像出力装置２４に出力される映像を切り替える方法について説明する。
【００４３】
映像配信局１にて、講師は、制御端末１０の操作により、映像の選択切替を行う。制御端末１０の映像選択操作により、制御端末１０は、シリアルケーブル８ａを介して映像切替スイッチャー１５の出力映像を選択制御し、ＬＡＮケーブル５ａ、レイヤ２スイッチ４ａ、広域イーサネット３、映像受信局２のレイヤ２スイッチ４ｂ、ＬＡＮケーブル５ｅ、ＩＰ化ＮＴＳＣ映像受信装置２０、シリアルケーブル８ｂを介して映像切替スイッチャー２２を選択制御し、遠隔教室における映像受信局２で生徒が見る映像出力装置２４の映像が切り替わる。
【００４４】
表１に、選択映像毎のスイッチャー制御方法を示す。制御端末１０は、選択映像毎に、下記のようにスイッチャー制御を行う。
【００４５】
【表１】
2007158572.tif 000003
【００４６】
映像入力装置（１）１２ａの映像選択時は、映像配信局１の映像切替スイッチャー１５の映像入力に、映像入力装置（１）からの６ｃの映像を選択し、遠隔教室における映像受信局２の映像切替スイッチャー２２の映像入力に、ＩＰ化ＮＴＳＣ映像受信装置２０からのＮＴＳＣケーブル６ｈを介した映像を選択する。
【００４７】
映像入力装置（ｎ）１２ｂの映像選択時は、映像配信局１の映像切替スイッチャー１５の映像入力に、映像入力装置（ｎ）からの６ｄの映像を選択し、遠隔教室における映像受信局２の映像切替スイッチャー２２の映像入力に、ＩＰ化ＮＴＳＣ映像受信装置２０からのＮＴＳＣケーブル６ｈを介した映像を選択する。
【００４８】
ＰＣ１３の高精細映像選択時は、映像配信局１の映像切替スイッチャー１５を切り替えることは不要であり、映像受信局２の映像切替スイッチャー２２の映像入力に、ＩＰ化ＸＧＡ映像受信装置２１からのＲＧＢケーブル７ｄを介した映像を選択する。
【００４９】
ＰＣ１３の動画映像選択時は、映像配信局１の映像切替スイッチャー１５の映像入力に、ＲＧＢ分配器１４からのＲＧＢケーブル７ｂを介した映像を選択し、遠隔教室における映像受信局２の映像切替スイッチャー２２の映像入力に、ＩＰ化ＮＴＳＣ映像受信装置２０からのＮＴＳＣケーブル６ｈを介した映像を選択する。
【００５０】
図３を用いて、映像配信局１のＩＰ化映像マルチ表示装置１８に表示される画面の例を説明する。
【００５１】
教室名表示エリアＤ１は、遠隔教室（映像受信局）名称を表示するエリアである。
【００５２】
映像表示エリアＤ２は、遠隔教室における映像受信局２の映像出力装置２４に出力されている映像を挟帯域化して得た挟帯域映像を表示するエリアである。
【００５３】
教室名表示エリアＤ１と映像表示エリアＤ２の一組で一教室の画面構成であり、図３に示す例では、ＩＰ化映像マルチ表示装置１８には、最大１６教室の映像を表示することが可能である。
【００５４】
図３では、遠隔教室（映像受信局）２が、１０教室存在し、うち、遠隔教室２ａにおける映像受信局、遠隔教室２ｂにおける映像受信局、遠隔教室２ｃにおける映像受信局、遠隔教室２ｄにおける映像受信局、遠隔教室２ｉにおける映像受信局、遠隔教室２ｊにおける映像受信局の６教室の映像受信局を接続し、遠隔教室２ｅにおける映像受信局、遠隔教室２ｆにおける映像受信局、遠隔教室２ｇにおける映像受信局、遠隔教室２ｈにおける映像受信局の４教室の映像受信局を未接続とし、制御端末１０にて、ＰＣ映像（高精細）の映像選択を行っている場合の、ＩＰ化映像マルチ表示装置１８における表示例を示す。図３に示す状態に正常に動作している場合は、接続されている遠隔教室２ａにおける映像受信局、遠隔教室２ｂにおける映像受信局、遠隔教室２ｃにおける映像受信局、遠隔教室２ｄにおける映像受信局、遠隔教室２ｉにおける映像受信局、遠隔教室２ｊにおける映像受信局に、ＰＣ映像（高精細）の映像が表示される。これにより、接続されている６教室全てで、映像が問題なく表示されていることを、講師が、映像配信局１のＩＰ化映像マルチ表示装置１８を監視することによって確認することができる。
【００５５】
図４を用いて、表示異常の場合の例を説明する。図３に示す状態から、制御端末１０にて、選択映像を、ＰＣ映像（高精細）から映像入力装置（１）に切り替えた結果、ＩＰ化映像マルチ表示装置１８が図４の表示になったとする。この場合、遠隔教室２ａにおける映像受信局、遠隔教室２ｂにおける映像受信局、遠隔教室２ｄにおける映像受信局、遠隔教室２ｉにおける映像受信局、遠隔教室２ｊにおける映像受信局の映像は映像入力装置（１）表示になっているが、遠隔教室２ｃにおける映像受信局の映像は、ＰＣ映像（高精細）の映像のままとなっている。これにより、遠隔教室２ｃにおける映像受信局の映像出力装置２４にのみ映像が正常に表示されていないことが確認できる。
【００５６】
以上のように、本発明によれば、講師が映像配信局１のＩＰ化映像マルチ表示装置１８の映像を確認することにより、素早く遠隔教室における映像受信局２での映像障害を察知することが可能となり、講師がすぐにシステム管理者に連絡することにより、素早い復旧の対応が可能となる。
【００５７】
また、本発明によれば、映像障害発生時、映像配信局１のＩＰ化映像マルチ表示装置１８にて、瞬時に、どの教室で障害が発生しているか確認することができ、一遠隔教室の映像受信局やネットワーク等による障害なのか、講師側教室の映像配信局１やネットワーク等による障害なのかを、容易に推定することができる。図４の状態では、遠隔教室２ｃにおける映像受信局２ｃの映像のみが異常で、他の遠隔教室では映像を正常に表示しているため、映像配信局１の装置等は正常であり、遠隔教室２ｃにおける映像受信局２ｃ内にて障害が発生していることが判断できる。また、遠隔教室２ｃにおける映像受信局２ｃの映像は、全く表示していない訳ではなく、ＰＣ映像（高精細）を表示していることから、制御端末１０で映像選択した指示が、遠隔教室２ｃにおける映像受信局２ｃの映像スイッチ２２で受け付けられていないことがわかり、遠隔教室２ｃにおける映像受信局２ｃ内のＮＴＳＣ映像音声ＩＰ化送信装置２０とシリアルケーブル８ｂと映像切替スイッチャー２２の間のケーブル断か、ＩＰ化ＮＴＳＣ映像受信装置２０か映像切替スイッチャー２２の装置動作不良であることが推定できる。
【００５８】
本例では、映像配信局１のＩＰ化映像マルチ表示装置１８は、講師が遠隔教室における映像受信局の映像を確認するために使用するようになっているが、ＩＰ化映像マルチ表示装置１８を映像配信局１に隣接したシステム管理室に設置し、システム管理者が映像を確認するために使用し、映像配信局１の講師卓のモニタディスプレイに、ＩＰ化映像マルチ表示装置１８の映像を分配して配信するようにすれば、システム管理者が講義中の講師教室１に入らずとも、ＩＰ化映像マルチ表示装置１８の映像の確認を行うことが可能である。
【図面の簡単な説明】
【００５９】
【図１】本発明における遠隔教育システムの構成を説明するシステム構成図。
【図２】本発明における遠隔教育システムの映像データと制御データの流れを説明する図。
【図３】本発明におけるＩＰ化映像マルチ表示装置の正常表示時の画面例を表す図。
【図４】本発明におけるＩＰ化映像マルチ表示装置の異常表示時の画面例を表す図。
【符号の説明】
【００６０】
１：映像配信局（講師教室）
１０：制御端末
１１：音声入力装置
１２：映像入力装置
１３：ＰＣ
１４：ＲＧＢ分配器
１５：映像切替スイッチャー
１６：ＮＴＳＣ映像ＩＰ化送信装置
１７：ＸＧＡ映像ＩＰ化送信装置
１８：ＩＰ化映像マルチ表示装置
２：映像受信局（遠隔教室）
２０：ＩＰ化ＮＴＳＣ映像受信装置
２１：ＩＰ化ＸＧＡ映像受信装置
２２：映像切替スイッチャー
２３：音声出力装置
２４：映像出力装置
２５：狭帯域映像ＩＰ化送信装置
２６：映像出力装置
４ａ、４ｂ：レイヤ２スイッチ
３：広域イーサネット
５：ＬＡＮケーブル
６：ＮＴＳＣケーブル
７：ＲＧＢケーブル
８：シリアルケーブル
Ｄ１：教室名表示エリア
Ｄ２：映像表示エリア
【図１】
2007158572.tif 000004
【図２】
2007158572.tif 000005
【図３】
2007158572.tif 000006
【図４】
2007158572.tif 000007